(57)【特許請求の範囲】
【請求項１】
長尺筒状のスプレーノズル（１）をチャック部材（２）を介して吐出口（４）に取付固定してなるスプレーノズルの取付構造であって、前記チャック部材（２）は、前記ノズル（１）が挿通される挿通孔（２１）を有し、チャック部材（２）が吐出口（４）内に押し込まれるに従って前記挿通孔（２１）が縮径して前記ノズル（１）を締付保持し、該ノズル（１）を保持した状態でチャック部材（２）が吐出口（４）内に固定され、
吐出口（４）内周面は、先端側から基端側に至るに従って徐々に縮径するテーパー面（４３）を有し、チャック部材（２）は、基端側の筒状の締付部（２ａ）と、該締付部（２ａ）の先端部に連設された筒状の延長部（２ｂ）とを備え、ノズル挿通孔（２１）は前記締付部（２ａ）と延長部（２ｂ）とにわたって設けられており、前記締付部（２ａ）の外周面は、前記テーパー面（４３）に対応するテーパー状とされ、該締付部（２ａ）の基端側が縮径変形可能に構成されており、
延長部（２ｂ）は締付部（２ａ）よりも小径とされ、これにより締付部（２ａ）の先端に段部（２２）が形成されており、該段部（２２）が吐出口（４）先端に形成された内向き凸部（４６，４７）に係止され、これによりチャック部材（２）が吐出口（４）内に固定されていることを特徴とするスプレーノズルの取付構造。
【請求項２】
延長部（２ｂ）の先端に外向きフランジ（２５）が設けられており、該外向きフランジ（２５）が、吐出口（４）先端に近接されているとともに、外向きフランジ（２５）の外径が、吐出口（４）先端開口の内径とほぼ同径であることを特徴とする請求項１に記載のスプレーノズルの取付構造。
【請求項３】
長尺筒状のスプレーノズル（１）をチャック部材（２）を介して吐出口（４）に取付固定してなるスプレーノズルの取付構造であって、前記チャック部材（２）は、前記ノズル（１）が挿通される挿通孔（２１）を有し、チャック部材（２）が吐出口（４）内に押し込まれるに従って前記挿通孔（２１）が縮径して前記ノズル（１）を締付保持し、該ノズル（１）を保持した状態でチャック部材（２）が吐出口（４）内に固定され、
吐出口（４）内周面は、先端側から基端側に至るに従って徐々に縮径するテーパー面（４３）を有し、チャック部材（２）は、基端側の筒状の締付部（２ａ）と、該締付部（２ａ）の先端部に連設された筒状の延長部（２ｂ）とを備え、ノズル挿通孔（２１）は前記締付部（２ａ）と延長部（２ｂ）とにわたって設けられており、前記締付部（２ａ）の外周面は、前記テーパー面（４３）に対応するテーパー状とされ、該締付部（２ａ）の基端側が縮径変形可能に構成されており、
延長部（２ｂ）の先端に外向きフランジ（２５）が設けられており、該外向きフランジ（２５）が、吐出口（４）先端に近接されているとともに、外向きフランジ（２５）の外径が、吐出口（４）先端開口の内径とほぼ同径であることを特徴とするスプレーノズルの取付構造。
【請求項４】
長尺筒状のスプレーノズル（１）をチャック部材（２）を介して吐出口（４）に取付固定するためのスプレーノズルの取付方法であって、
吐出口（４）内周面には、先端側から基端側に至るに従って徐々に縮径するテーパー面（４３）と、該テーパー面（４３）よりも先端側に位置して径方向内方に突出する凸部（４６）とを形成しておき、
前記チャック部材（２）は、基端側の筒状の締付部（２ａ）と、該締付部（２ａ）の先端部に連設された筒状の延長部（２ｂ）とを備え、前記締付部（２ａ）と延長部（２ｂ）とにわたって前記ノズル（１）が挿通される挿通孔（２１）を設け、前記締付部（２ａ）の外周面を、前記テーパー面（４３）に対応するテーパー状とし、該締付部（２ａ）を縮径変形可能に構成しておくとともに、前記延長部（２ｂ）を締付部（２ａ）よりも小径とし、これにより締付部（２ａ）の先端に段部（２２）を形成しておき、
前記ノズル（１）をチャック部材（２）の挿通孔（２１）に挿通し、該ノズル（１）の基端部を吐出口（４）に挿入するとともに、前記チャック部材（２）を吐出口（４）内に押し込んで締付部（２ａ）のテーパー状外周面と吐出口（４）のテーパー状内周面（４３）との接触により締付部（２ａ）を縮径して前記ノズル（１）を締付保持し、該ノズル（１）を保持した状態でチャック部材（４）の前記段部（２２）を吐出口（４）の前記凸部（４６）に係止することにより、チャック部材（２）を吐出口（４）内に固定することを特徴とするスプレーノズルの取付方法。
【請求項５】
前記段部（２２）を吐出口（４）の前記凸部（４６）に係止した後、吐出口（４）の前記凸部（４６）の先端側をヒートシールすることにより、前記段部（２２）により深く係止する内向きフランジ（４７）を形成することを特徴とする請求項４に記載のスプレーノズルの取付方法。
【請求項６】
チャック部材（２）の延長部（２ｂ）の先端に外向きフランジ（２５）を形成しておき、該外向きフランジ（２５）を押圧することによりチャック部材（２）を吐出口（４）内に押し込み、ヒートシールにより形成される内向きフランジ（４７）が前記外向きフランジ（２５）に近接するとともに、外向きフランジ（２５）の外径が、内向きフランジの内径とほぼ同径となるようにすることを特徴とする請求項５に記載のスプレーノズルの取付方法。
【発明の詳細な説明】
【０００１】
【発明の属する技術分野】
本発明は、咽喉用スプレー容器などのスプレーノズル（アクチュエータノズル）の取付構造並びに取付方法に関する。
【０００２】
【従来の技術】
従来のアクチュエータノズルの固定方法としては、アクチュエータにノズルを差し込んだ後に片側をヒートシールする方法や、アクチュエータに形成したリブにノズルを圧入する方法が一般的である。
【０００３】
【発明が解決しようとする課題】
しかし、上記従来のいずれの方法によっても、ノズルの保持力が弱く、使用中に抜けが発生することがあるとともに、ヒートシールによりノズルチューブを変形させ、チューブ内の通路を小さくしてしまい、場合によってはノズルを閉塞してしまうことがある。
【０００４】
また、咽喉用スプレー容器などのスプレーノズルは、抜歯、抜糸、歯石除去等の局部麻酔（表皮麻酔を含む）等にも使用されており、患部めがけて直接、噴霧・ジェット又は滴下して使用しているが、特に噴霧する場合に、ノズル内部に大きな圧力が生じるため、ノズルの抜けが発生し易い。
【０００５】
また、従来、ノズルは熔着或いは圧入で嵌合させていることから、複数回の使用や、使用後の消毒時に、嵌合部への内容物や消毒剤の浸漬がおこり、ノズルが抜けやすくなり、ノズル内圧等により容易に抜けが発生する。
【０００６】
そこで、本発明は、取付作業性に優れるものでありながら、ノズルを局部的に圧縮することなく強く保持できるようにして、複数回の使用や使用後の消毒時にもノズルの抜けを防止することを目的とする。
【０００７】
【課題を解決するための手段】
本発明は、上記目的を達成するために、次の技術的手段を講じた。
【０００８】
即ち、本発明は、長尺筒状のスプレーノズルをチャック部材を介して吐出口に取付固定してなるスプレーノズルの取付構造を提供するとともに、長尺筒状のスプレーノズルをチャック部材を介して吐出口に取付固定するためのスプレーノズルの取付方法を提供する。なお、上記吐出口は、上記ノズルが取付けられるアクチュエータやキャップなどのノズル被取付部材に設けられる。
【０００９】
上記本発明のスプレーノズルの取付構造において、前記チャック部材は、前記ノズルが挿通される挿通孔を有し、チャック部材が吐出口内に押し込まれるに従って前記挿通孔が縮径して前記ノズルを締付保持し、該ノズルを保持した状態でチャック部材が吐出口内に固定されているものとすることができる。なお、チャック部材は側部に複数のスリットが形成された筒状構造であってもよく、断面Ｃ字状に構成することも可能である。また、挿通孔は、チャック部材を軸方向に貫通していればよく、径方向に開放された凹溝状であってもよい。また、挿通孔の内径、特に縮径して締付保持する部位の内径は、好ましくはノズル外径とほぼ同径に形成しておくのが良い。チャック部材の固定手段は適宜の方法を作用できるが、好ましくは、吐出口内面に形成した段部などの被係止部と、チャック部材外周に形成した段部などの係止部との係合によってチャック部材を吐出口内に固定することができる。
【００１０】
上記本発明のスプレーノズルの取付構造によれば、簡易な構造で取付作業性に優れるものでありながらも、チャック部材の所定部位を縮径させることでノズルを周方向略全周にわたりほぼ均一な力で締付保持することができ、ノズル内通路を押し潰したり閉塞させることなく、十分なノズルの保持力が得られ、使用中にノズルが抜けることが無くなるとともに、ノズル内通路が確保されるためノズルからの噴霧が円滑に行われる。
【００１１】
また、上記吐出口内周面は、先端側から基端側に至るに従って徐々に縮径するテーパー面を有するものとすることができる。これによれば、吐出口にチャック部材を押し込むことにより、該チャック部材に上記テーパー面による縮径方向の締付力を作用させることができる。なお、該テーパー面よりも基端側に、ノズル外径とほぼ同径のノズル挿通孔を設け、該ノズル挿通孔に吐出流体（塗布薬液等）を適宜のポンプ機構等によって供給することができる。
【００１２】
また、チャック部材は、基端側の筒状の締付部と、該締付部の先端部に連設された筒状の延長部とを備えることができる。この場合、ノズル挿通孔は前記締付部と延長部とにわたって設けることができる。また、前記締付部の外周面は、前記テーパー面に対応するテーパー状に構成することができる。なお、かかる締付部外周面のテーパー構造には、外周面が軸方向全体にわたってテーパー状に形成されているものの他、締付部の外周面の軸方向一部（例えば、基端部）のみにテーパー面を設けたものをも含む。
【００１３】
さらに、上記締付部は縮径変形可能に構成することができ、特に基端側が縮径変形可能な構成を採用するのが良い。例えば、筒状の締付部の周方向複数箇所に、該締付部の基端部から先端側に向けて延びるスリットを設けることで締付部をその基端側が縮径変形可能に構成できる。その他、締付部を弾性材料により形成することによっても、該締付部を縮径変形可能に構成できる。
【００１４】
また、上記延長部を締付部よりも小径とし、これにより締付部の先端に段部を形成することができる。そして、該段部を吐出口先端に形成された内向き凸部に係止させ、これによりチャック部材を吐出口内に固定することができる。上記内向き凸部は、吐出口内周面の全周に亘る環状リブにより構成することができる他、周方向に間隔を空けて設けられた複数の突起により構成することもできる。該内向き凸部は、吐出口を有するノズル被取付部材（アクチュエータなど）が樹脂成形品である場合、成形上のアンダーカットとなるものである。なお、上記内向き凸部以外には、吐出口内にアンダーカット部が存在しないようにするのが好ましい。また、上記内向き凸部は、チャック部材の装着後の吐出口先端のヒートシールにより形成された内向きフランジであってもよい。
【００１５】
上記延長部の先端には外向きフランジを設けることができる。そして、この外向きフランジを、吐出口先端に近接させるとともに、外向きフランジの外径を、吐出口先端開口の内径とほぼ同一若しくは該内径よりも大径であるようにすることで、外向きフランジにより吐出口先端開口を覆い、埃などが先端開口に入り込むことが防止される。さらに、上記外向きフランジを設けることで、チャック部材の先端面の面積が増大するため、チャック部材を吐出口内に押し込む際の作業性が良好なものとなる。
【００１６】
上記本発明のスプレーノズルの取付方法において、吐出口内周面には、先端側から基端側に至るに従って徐々に縮径するテーパー面と、該テーパー面よりも先端側に位置して径方向内方に突出する凸部とを形成しておき、前記チャック部材は、基端側の筒状の締付部と、該締付部の先端部に連設された筒状の延長部とを備え、前記締付部と延長部とにわたって前記ノズルが挿通される挿通孔を設け、前記締付部の外周面を、前記テーパー面に対応するテーパー状とし、該締付部を縮径変形可能に構成しておくとともに、前記延長部を締付部よりも小径とし、これにより締付部の先端に段部を形成しておくことができる。そして、これら分解状態のノズル並びにチャック部材を、次の工程で吐出口に取付けることができる。即ち、前記ノズルをチャック部材の挿通孔に挿通し、該ノズルの基端部を吐出口に挿入するとともに、前記チャック部材を吐出口内に押し込んで締付部のテーパー状外周面を吐出口のテーパー状内周面との接触により締付部を縮径して前記ノズルを締付保持し、該ノズルを保持した状態でチャック部材の前記段部を吐出口の前記凸部に係止することにより、チャック部材を吐出口内に固定することができる。
【００１７】
かかる本発明の取付方法によれば、特別な工具や工作機器等を用いずとも、ノズルをチャック部材に挿通して吐出口に差し込むとともに、チャック部材を吐出口に押し込んで係止させると、チャック部材の締付部が縮径されてノズルを全周にわたって均一に締付保持し、ノズルを押し潰すことなく強い力で保持させることができ、使用中にノズルが抜け落ちることもなく、また、ノズルからの薬液等の流体の吐出が円滑に行われるようになる。
【００１８】
さらに、前記段部を吐出口の前記凸部に係止した後、吐出口の前記凸部の先端側をヒートシールすることにより、前記段部により深く係止する内向きフランジを形成することにより、確実にチャック部材を吐出口内に固定することができるとともに、ヒートシールによる吐出口先端側の加熱変形により、該吐出口先端部と、チャック部材の上記段部との密着性がより良好なものとなり、この部位の気密性・液密性が向上する。
【００１９】
また、チャック部材の延長部の先端に外向きフランジを形成しておき、該外向きフランジを押圧することによりチャック部材を吐出口内に押し込み、ヒートシールにより形成される内向きフランジが前記外向きフランジに近接するとともに、外向きフランジの外径が、内向きフランジの内径とほぼ同径もしくは該内径よりも大径となるようにすることもできる。これによれば、上記取付構造と同様に、外向きフランジによって埃等が吐出口先端開口に入り込むことを防止し得るとともに、チャック部材の押し込み作業性が良好なものとなる。
【００２０】
【発明の実施の形態】
以下、本発明の好適な実施の形態を図面に基づいて説明する。
【００２１】
図１〜図４は本発明の一実施形態にかかるスプレーノズルの取付構造並びに取付方法を示しており、該取付構造並びに取付方法は、ヨウ素溶液などの薬液を咽喉部位に塗布するための咽喉用スプレー容器などに好適に採用できる。
【００２２】
本実施形態のスプレーノズルの取付構造は、長尺円筒状のスプレーノズル１をチャック部材２を介してアクチュエータ３の吐出口４に取付固定してなるものである。なお、アクチュエータ３はボトル状の容器本体（図示せず）の口部に装着される。アクチュエータ３には適宜のポンプ機構が内蔵され、該ポンプ機構を作動させることにより、容器本体内に充填された薬液が吐出口４から吐出される。
【００２３】
上記スプレーノズル１は、適宜の寸法のものとすることができ、図示例では約２．５ｍｍの細径の硬質樹脂ノズルを用いている。
【００２４】
また、チャック部材２は、硬質樹脂材料により成形されており、図４にも示すように、基端側の円錐台形筒状の締付部２ａと、締付部２ａの先端部に連設された円筒状の延長部２ｂとを備えている。また、チャック部材２には、上記ノズル１が挿通されるノズル挿通孔２１が、締付部２ａと延長部２ｂの軸方向全長にわたって設けられている。延長部２ｂは、締付部２ａの基端部よりも小径とされ、これにより締付部２ａの先端に段部２２が形成されている。
【００２５】
締付部２ａの外周面は、基端側に至るに従って徐々に縮径するテーパー状に構成されており、該外周面のテーパー構造は、後述する吐出口４の内面に設けられたテーパー面４３に対応するように傾斜比がほぼ同じとされている。また、締付部２ａには、基端部から先端側へ向けて延びるスリット２３が周方向４カ所に設けられている。この４つのスリット２３により分割された各ブロック２４はその基端が自由端となるため、径方向内方への押し込み力が作用すると基端側が径方向内方に弾性変形し、而して、締付部２ａが縮径する。
【００２６】
延長部２ｂの先端には全周にわたる外向きフランジ２５が設けられている。この外向きフランジ２５の外径は、段部２２の外径よりも小径となされている。
【００２７】
上記吐出口４は、その基端側から、ノズル１とほぼ同径のノズル保持孔４１と、チャック部材２が内嵌されるチャック部材装着孔４２とが連設された構成となされている。なお、ノズル保持孔４１には適宜のポンプ機構によって容器本体内部の薬液が供給され、該保持孔４１に挿通されたノズル１内に薬液を流通させるようになっている。
【００２８】
チャック部材装着孔４２の内周面は、先端側から基端側に至るに従って徐々に縮径するテーパー面４３を有している。該テーパー面４３の先端側は、段部４４を介して大径となされており、該大径部４５の軸方向中途部に、全周にわたるリブ状の内向き凸部４６が突設されている。この内向き凸部４６の基端側（奥側）は略直角に立ち上がる段状に形成されており、先端側（開口側）はテーパー状に形成されている。また、該凸部４６の内径は、チャック部材２の段部２２の外径よりも若干小径となされており、チャック部材２の締付部２ａの先端側を凸部４６よりも奥側に強制的に押し込んで、段部２２を凸部４６の基端側に係止させるようにしている。
【００２９】
上記スプレーノズル１をアクチュエータ３の吐出口２に取付けるには、まず、図１に示すように、ノズル１をチャック部材２の挿通孔２１に先端側から挿通する。次に、該ノズル１の基端部を吐出口２のノズル保持孔２１に所定深さまで挿入する。その後、外向きフランジ２５を指や適宜の工具などにより押圧することにより、チャック部材２を吐出口２の装着孔４２内に押し込んでいくと、チャック部材２の締付部２ａのテーパー状外周面と吐出口４のテーパー状内周面４３との接触により締付部２ａが縮径され（特に挿通孔２１の基端側が縮径される）、該締付部２ａによりノズル１を全周にわたって均一な力で締付保持する。一方、締付部２ａがノズル１を締付保持したとき、図２に示すように、チャック部材２の段部２２が吐出口４の内向き凸部４６に係止されて、チャック部材２が吐出口４内に仮止め固定されるようになっている。
【００３０】
図２に示す状態で使用しても良いが、ノズル１の抜けをより確実に防止するために、段部２２を凸部４６に係止した後、吐出口４の前記凸部４６の先端側をヒートシールすることにより、図３に示すように、前記段部２２により深く係止する内向きフランジ４７を形成するのが好ましい。
【００３１】
この内向きフランジ４７が、チャック部材２の外向きフランジ２５の外周縁に近接するように上記ヒートシールを行うのが好ましい。また、内向きフランジ４７の内径（即ち、吐出口先端開口の内径）が、外向きフランジ２５とほぼ同径となるように上記ヒートシールを行うのが好ましい。
【００３２】
上記実施形態によれば、基端側にテーパー形状を有すると共にそのサイドの複数箇所にスリットを設けたチャック部材にノズルを差し込み、このノズルをアクチュエータの吐出口の所定の位置まで挿入した後、チャック部材をアクチュエータの吐出側先端に挿入することによって、ノズルに対し周方向に均一な力で挟持することができ、さらに、ノズルの変形量を可及的低減しつつも大きな保持力を得ることができる。また、アクチュエータ吐出側先端内面に設けたリブ状凸部４６によりチャック部材２を固定して、抜け落ちない構造とすることができ、さらに必要な場合にはアクチュエータ先端をヒートシールしてチャック部材を抱持することができる。
【００３３】
【発明の効果】
本発明の取付構造によれば、チャック部材は、ノズルが挿通される挿通孔を有し、チャック部材が吐出口内に押し込まれるに従って前記挿通孔が縮径して前記ノズルを締付保持し、該ノズルを保持した状態でチャック部材が吐出口内に固定されているので、ノズルをチャック部材により全周にわたり均一な締付力で保持することができ、ノズルに局所的な締付力を与えることなく十分なノズル保持力が得られ、使用中のノズル抜け落ちを防止することができるとともに、ノズルを押し潰すこともなく、ノズルの詰まりも防止できる。さらに、チャック部材を吐出口に押し込むだけの簡単な作業でノズルの保持を行わせることができ、取付作業性にも優れたものとなる。
【００３４】
さらに、吐出口内周面がテーパー面を有し、チャック部材が締付部と延長部とを備え、ノズル挿通孔は前記締付部と延長部とにわたって設けられており、前記締付部の外周面は、前記テーパー面に対応するテーパー状とされ、該締付部の基端側が縮径変形可能に構成されているので、テーパーのくさび作用により軽い押し込み力でチャック部材の締付部を強く締め付けることができ、構造も簡素で成形性も良くなる。
【００３５】
また、延長部は締付部よりも小径とされ、これにより締付部の先端に段部を形成し、該段部が吐出口先端に形成された内向き凸部に係止され、これによりチャック部材が吐出口内に固定されているので、締付部は吐出口内に収容されるようになり、縮径変形可能とするためのスリット構造その他の構造が外側から隠されるようになって、商品外観性が良好になるとともに、チャック部材の段部と内向き凸部とは、ノズルの保持力に対する反力によって互いに密着され、吐出口先端部における液密性、気密性を容易に確保することができる。
【００３６】
さらに、延長部の先端に外向きフランジが設けられており、該外向きフランジが、吐出口先端に近接されているとともに、外向きフランジの外径が、吐出口先端開口の内径とほぼ同一若しくは該内径よりも大径であるので、外向きフランジにより吐出口先端開口を塞いで埃等が吐出口に付着することを防止できるとともに、チャック部材の吐出口への押し込み作業性も良好なものとなる。
【００３７】
また、本発明の取付方法によれば、ノズルをチャック部材の挿通孔に挿通し、該ノズルの基端部を吐出口に挿入するとともに、前記チャック部材を吐出口内に押し込んで締付部のテーパー状外周面を吐出口のテーパー状内周面との接触により締付部を縮径して前記ノズルを締付保持し、該ノズルを保持した状態でチャック部材の前記段部を吐出口の前記凸部に係止することにより、チャック部材を吐出口内に固定することを特徴とするものであるから、ノズルをチャック部材により全周にわたり均一な力で締付保持させることができ、ノズルを押し潰すことなく十分な保持力を得ることができるとともに、このようにノズルを保持した状態でチャック部材を凸部に係止することで仮止めすることができるため作業性も良好なものとなり、その後、凸部近傍の吐出口先端部を変形させることによりチャック部材を確実に保持することもできる。
【００３８】
さらに、前記段部を吐出口の前記凸部に係止した後、吐出口の前記凸部の先端側をヒートシールすることにより、前記段部により深く係止する内向きフランジを形成することにより、該内向きフランジと前記段部との密着性が良好なものとなり、液密性、気密性が容易に確保され、かつ、チャック部材を吐出口内に確実に固定することができる。
【００３９】
また、チャック部材の延長部の先端に外向きフランジを形成しておき、該外向きフランジを押圧することによりチャック部材を吐出口内に押し込み、ヒートシールにより形成される内向きフランジが前記外向きフランジに近接するとともに、外向きフランジの外径が、内向きフランジの内径とほぼ同径もしくは該内径よりも大径となるようにすることにより、チャック部材の吐出口への押し込み作業性を向上することができるとともに、そのための外向きフランジが取付作業後は吐出口への埃等の付着を防止する蓋部材として機能させることができる。
【図面の簡単な説明】
【図１】本発明の一実施形態に係るスプレーノズルの取付構造の分解断面図である。
【図２】同取付構造のチャック部材を仮止めした状態の断面図である。
【図３】同取付構造のヒートシール後の断面図である。
【図４】チャック部材の拡大図であって、（ａ）は基端側の側面図、（ｂ）は正面図、（ｃ）は先端側の側面図である。
【符号の説明】
１  スプレーノズル
２  チャック部材
２ａ  締付部
２ｂ  延長部
２１  ノズル挿通孔
２２  段部
２３  スリット
２５  外向きフランジ
３  アクチュエータ
４  吐出口
４３  テーパー面
４６  内向き凸部
【図１】
0004680375.tif 000002
【図２】
0004680375.tif 000003
【図３】
0004680375.tif 000004
【図４】
0004680375.tif 000005